(57)【要約】      （修正有）【課題】数種類の形態の異なる叩き部を備え、これら叩き部を使い分けて眠気覚ましを行う叩き具を提供する。【解決手段】端部に取手２を備えた柄３の他端部に断面が正方形をなす直方体の膨出部４を有し、膨出部４の四面にはそれぞれ全体が山状に盛り上がる一つの突部よりなる叩き部、櫛歯状の突部７よりなる叩き部、粒状の突部８よりなる叩き部、先端に玉状の膨隆部９を備えた櫛歯状の突部１０よりなる叩き部が形成され、また取手２、柄３、膨出部４の少なくとも一つに交換神経に刺激を与える刺激色が施される。【選択図】図１
0003189654.tif 000002
【実用新案登録請求の範囲】
【請求項１】
取手を有する可撓性のある柄の先端に柄と直交する断面が多角形をなす膨出部を有し、前記柄の長手方向に延びる多角形の膨出部の各面にはそれぞれ、他の面とは形態の異なる１ないし多数の弾力性のある突部よりなる叩き部が形成されることを特徴とする叩き具。
【請求項２】
視覚によって交換神経に刺激を与える刺激色が取手と、柄と膨出部のうちの一部又は全部に着色されることを特徴とする請求項１記載の叩き具。
【請求項３】
膨出部の先端面、柄又は取手の少なくとも一部に裸体や性器が描かれるか、裸体や性器を模した形態が形成されることを特徴とする請求項１又は２記載の叩き具。
【請求項４】
取手には該取手を握ると、痛みや不快な違和感などを感じて交換神経を刺激させる形態が形成されることを特徴とする請求項１ないし３のいずれかの叩き具。
【請求項５】
多角形の少なくとも一つの面に形成される凸部は、叩くと音が出るように構成されることを特徴とする請求項１ないし４に記載のいずれかの叩き具。
【請求項６】
前記取手には、該取手の延長上に冷却シートを貼付けた握りが抜き差し可能に取付けられることを特徴とする請求項１ないし５に記載のいずれかの叩き具。
【考案の詳細な説明】
【技術分野】
【０００１】
本考案は、眠気を催したときに体の一部、とりわけ頭部を叩いて交感神経を働かせ、眠気を覚まさせる叩き具に関する。
【背景技術】
【０００２】
人はゆったりとして副交換神経が働いていると、眠気を催すことが知られている。眠気を催すと困る場合の代表的な例は運転中で、従来、運転中に眠気を催したときには、眠気を覚ますために頬をつねったり叩き、或いは手又は手近にある器具で頭を叩いたりして刺激を与え、交感神経を働かせることで眠気を覚ますことが行われている。
【０００３】
眠気を覚ますための刺激はまた、例えば赤、黄等の刺激色、裸体、性器等の絵や形態を見たときの視覚や、音による聴覚によっても与えられ、また手指が触れて痛みを感じ、或いは違和感を感じたときの触覚によっても与えられる。  
【考案の概要】
【考案が解決しようとする課題】
【０００４】
本考案は、数種類の形態の異なる叩き部を備え、これら叩き部を使い分けて眠気覚ましを行う叩き具を提供することを目的とする。
【課題を解決するための手段】
【０００５】
請求項１に係わる考案の叩き具は、取手を有する可撓性のある柄の先端に柄と直交する断面が多角形をなす膨出部を有し、前記柄の長手方向に延びる多角形の膨出部の各面にはそれぞれ、他の面とは形態の異なる１ないし多数の弾力性のある突部よりなる叩き部が形成されることを特徴とする。
【０００６】
請求項２に係わる考案は、請求項１に係わる考案の叩き具において、視覚によって交換神経に刺激を与える刺激色が取手と、柄と膨出部のうちの一部又は全部に着色されることを特徴とし、
請求項３に係わる考案は、請求項１又は２に係わる考案の叩き具において、膨出部の先端面、柄又は取手の少なくとも一部に裸体や性器が描かれるか、裸体や性器を模した形態が形成されることを特徴とする。
【０００７】
請求項４に係わる考案は、請求項１ないし３のいずれかの請求項に係わる考案の叩き具において、取手には該取手を握ると、痛みや不快な違和感などを感じて交換神経を働かせる形態が形成されることを特徴とする。
【０００８】
請求項５に係わる考案は、請求項１〜４のいずれかの請求項に係わる考案の叩き具において、多角形の少なくとも一つの面に形成される凸部は、叩くと音が出るように構成されることを特徴とする。
【０００９】
請求項６に係わる考案は、請求項１ないし５のいずれかの請求項に係わる考案の叩き具において、前記取手には、該取手の延長上に冷却シートを貼付けた握りが抜き差し可能に取付けられることを特徴とする。
【考案の効果】
【００１０】
請求項１に係わる考案によると、膨出部には身体の一部、とりわけ頭を叩いたときの刺激の種類が異なる叩き部が複数形成されて、使い分けできるようにされており、眠気を催したときには、取手を掴んで所望の叩き部を選択して身体、とりわけ頭を叩き、叩くときの手加減をすることにより、眠気を確実に覚ますことができる。
【００１１】
請求項２及び３に係わる考案によると、視覚によって交換神経が働くようになり、眠気覚ましを行うことができる。
【００１２】
請求項４に係わる考案によると、取手を握って痛みを感じたり、不快感を感ずることで交換神経が働き、眠気覚ましを行うことができる。
【００１３】
請求項５に係わる考案によると、叩くと音の出る突部で叩くことにより、主として聴覚で交感神経が働き、眠気覚ましを行うことができる。
【００１４】
請求項６に係わる考案によると、冷却シートを貼付けた握りを取手に差込み、該握りを握った手が冷たさを感ずることにより交換神経が働き、眠気覚ましを行うことができる。
【図面の簡単な説明】
【００１５】
【図１】本考案に係わる叩き具全体の斜視図。
【図２】図１に示す叩き具を膨出部の先端側から見た正面図。
【図３】図１に示す叩き具の取手に握りを連結した叩き具要部の断面図。
【考案を実施するための形態】
【００１６】
以下、本考案の実施形態の叩き具について図面により説明する。
図１に示す叩き具１は、一端部に取手２を備えた可撓性を有する棒状の柄３の他端部に柄３の他端部に柄３と直交する断面が正方形をなす直方体の膨出部４を有し、直方体の長柄方向に延びる長方形の４つの面には、例えば図２に示すように一つの面に叩き部として、全体が盛り上がる一つの山状の突部６が形成され、別の面には叩き部として櫛歯状の突部７が多数形成されている。更に別の面には、叩き部として粒状の突部８が多数形成され、更に別の面には叩き部として先端に玉状の膨隆部９を備えた櫛歯状の突部１０が多数形成されている。
【００１７】
上記突部６、７、８、１０のうち、弾力性を有する山状の突部１６は、身体を叩くと押し潰されるが、好ましくは既知のように叩いたときの押し潰しに伴い音が出るような内部機構が突部１６内に設けられる。
【００１８】
前記膨出部４にはまた、その先端面に視覚によって交換神経が働く図柄、模様、刺激色、例えば裸体や性器が描かれるか、赤、黄等の刺激触で着色される。この着色は膨出部４の全体に施されていてもよいし、柄又は取手に施されていてもよく、叩き具１の全体又は一部に部分的に施されていてもよい。着色は同一色に限ることなく、部分によって例えば膨出部３での着色と、取手２での着色が異なった色であってもよい。
【００１９】
前記取手２は、表面にいぼいぼ状の突起１２を形成し、強く握ると痛みを感ずるようにしてあるが、突起１２は痛みがより感ずるように先端が尖った形態をなしていてもよいし、表面が例えばぬるぬるし、握ると、不快感を与えるようになっていてもよい。また取手２或いは柄３には裸体や性器を描くか、裸体や性器を模した形態を形成し、視覚によって交換神経を働かせるようにしてもよい。同様に柄３にも裸体や性器を描いても良い。
【００２０】
取手２には図３に示すように該取手２の延長上に握り１４が抜き差し可能に連結され、握り１４を抜き差しできるようにするため、取手２には端面から取手２の長手方向に差込口１５が形成され、握り１４の端面には差込口１５に差し込まれる差込１６が突設されている。差込による連結に代えて差込１６を差込口１５に捩じ込んで取り付けるようにしてもよい。
【００２１】
握り１４は、例えば樹脂、ゴム或いは木製の本体１７と、該本体１７の表面に巻き付けて貼着される冷却シート１８よりなり、該冷却シート１８は、例えば不織布の表面にポリアクリル酸を基材とする冷却用組成物を塗布してなり、額、首周りなどの肌に熱冷ましのため貼付される既知のもので、該冷却シート１８の吸熱機能が低下して冷たさを感じなくなると、握り自体が取り替えられるか、或いは冷却シート１８を本体１７より剥離し、新たな冷却シート１８が本体１７に貼付される。
【００２２】
前記叩き具１は全体がゴム、熱可塑性エラストマー、樹脂など弾力性のあるゴム様弾性体で形成されるが、その一部、例えば膨出部４や該膨出部４の突部６、７、８、１０、柄３又は取手２部分をゴム様弾性体で形成し、他は金属や木製としてもよいが、図示する実施形態では、全体がゴム様弾性体で形成され、取手２を掴んで振ると、柄３がしなるようになっている。
【００２３】
前記実施形態では、膨出部４は断面正方形をなしているが、これ以外の多角形、例えば３角形、５角形、６角形等とに形成し、それぞれの面に前述するような叩き部を形成してもよい。
【００２４】
運転中等で眠気を催したときには、叩き具１の図柄、叩き具の一部に表される形態等を見て交感神経を働かせるが、なお眠気の解消に至らないときには、取手２を強く握りしめ、そのときの痛み加減で交感神経を刺激させ、更には取手２を掴んで膨出部４の叩き部で身体の一部、とくに頭を叩いてより強く交感神経を刺激させる。頭を叩く際には、柄３が撓むことにより突部６、７、８或いは１０よりなる叩き部が頭に弾力的に当たり、痛みを緩和させる。頭を叩く際には、叩き部の突部６、７、８或いは１０を選択し、更には力加減をして叩く際の強弱を変え、適度に交換神経を働かせる。
【符号の説明】
【００２５】
１・・叩き具
２・・取手
３・・柄
４・・膨出部
６、７、８、１０・・突部
９・・膨隆部
１２・・突起
１４・・握り
１７・・本体
１８・・冷却シート
【図１】
0003189654.tif 000003
【図２】
0003189654.tif 000004
【図３】
0003189654.tif 000005
【手続補正書】
【提出日】平成26年1月27日(2014.1.27)
【手続補正１】
【補正対象書類名】実用新案登録請求の範囲
【補正対象項目名】請求項４
【補正方法】変更
【補正の内容】
【請求項４】
取手は突起を形成するか、表面をぬるぬるさせ、取手を握ると、痛みや不快な違和感などを感じて交換神経を刺激させることを特徴とする請求項１ないし３のいずれかの叩き具。
【手続補正２】
【補正対象書類名】実用新案登録請求の範囲
【補正対象項目名】請求項５
【補正方法】変更
【補正の内容】
【請求項５】
多角形の少なくとも一つの面に形成される突部は、叩くと音が出るように構成されることを特徴とする請求項１ないし４に記載のいずれかの叩き具。
【手続補正３】
【補正対象書類名】明細書
【補正対象項目名】０００７
【補正方法】変更
【補正の内容】
【０００７】
請求項４に係わる考案は、請求項１ないし３のいずれかの請求項に係わる考案の叩き具において、取手は突起を形成するか、表面をぬるぬるさせ、取手を握ると、痛みや不快な違和感などを感じて交換神経を刺激させることを特徴とする。
【手続補正４】
【補正対象書類名】明細書
【補正対象項目名】０００８
【補正方法】変更
【補正の内容】
【０００８】
請求項５に係わる考案は、請求項１〜４のいずれかの請求項に係わる考案の叩き具において、多角形の少なくとも一つの面に形成される突部は、叩くと音が出るように構成されることを特徴とする。